(57)【特許請求の範囲】
【請求項１】
道路車両のための電気的駆動軸装置であって、電気駆動モータ（１）、前記電気駆動モータによって駆動される駆動輪の異なる速度を可能にするための差動機構（３、４）、および、２つの前記駆動輪の間の駆動トルクの配分を制御するためのトルク・ベクタリング・システム（２、６、７）を備え、前記トルク・ベクタリング・システムは、トルク・ベクタリング・モータ（２）を備え、前記トルク・ベクタリング・モータ（２）は、非永久磁石モータであり、
前記トルク・ベクタリング・モータ（２）のロータの位置を表す推定された値は、前記トルク・ベクタリング・モータ（２）に対する電流の変化の調査によって得られ、前記推定された値は、リゾルバのような回転位置センサによって測定された値と比較される、という点を特徴とする、電気的駆動軸装置。
【請求項２】
前記トルク・ベクタリング・モータ（２）は、リラクタンスモータである、請求項１に記載の装置。
【請求項３】
前記トルク・ベクタリング・モータ（２）は、スイッチトリラクタンスモータである、請求項２に記載の装置。
【請求項４】
前記トルク・ベクタリング・モータ（２）は、同期リラクタンスモータ（ＳｙＲＭ）である、請求項２に記載の装置。
【請求項５】
前記トルク・ベクタリング・モータ（２）は、かご形誘導モータ（ＳＣＩＭ）または巻線形誘導モータ（ＷＲＩＭ）のような誘導モータである、請求項１に記載の装置。
【請求項６】
前記トルク・ベクタリング・モータ（２）からの最大トルクは、前記トルク・ベクタリング・モータ（２）用の駆動エレクトロニクスに対する直流電流を調査することによって調査される、請求項１に記載の装置。
【請求項７】
前記トルク・ベクタリング・モータは、相導体の崩壊、制御エレクトロニクスのドロップアウト、またはショート、のうちの少なくとも１つに際してトルクの提供を停止するように構成されかつ配置された非永久磁石モータである、請求項１に記載の装置。
【請求項８】
前記トルク・ベクタリング・モータは、前記推定された値が前記測定された値から閾値よりも大きい量だけ異なるときに停止される、請求項１に記載の装置。
【発明の詳細な説明】
【技術分野】
【０００１】
本発明は、道路車両のための電気的駆動軸装置であって、電気駆動モータ、駆動モータによって駆動される駆動輪の異なる速度を可能にするための差動機構、および、２つの駆動輪の間の駆動トルクの配分を制御するためのトルク・ベクタリング・システムを備え、トルク・ベクタリング・システムは、トルク・ベクタリング・モータを備える、電気的駆動軸装置に関する。
【背景技術】
【０００２】
目下のトレンドは、しばしば前車軸が内燃機関によって駆動され、後車軸が電動モータによって駆動されるハイブリッドカーを開発することにある。車両を運転することは、いずれか一方の車軸によって、または２つの組み合わせによって起こり得る。電動モータは、車両のバッテリによって電力を供給される。そしてそれは、内燃機関によって充電されてよいか、またはその逆である。
【０００３】
電気的駆動軸装置のトルク・ベクタリング・システムは、それが車両の駆動輪に余分の駆動トルクを供給するかもしれないので、少しも安全性に関してでない多くの点で非常に厳しい要件を上記記載の通り満たさなければならない。いかなる故障も、破局的な結果につながるかもしれない。
【０００４】
したがって、重要な要求は、求められるよりも大きいトルクがトルク・ベクタリング・システムによって決して供給されないことである。
【０００５】
異なる理由のために、電気的駆動軸装置のトルク・ベクタリング・モータとして永久磁石同期モータ（ＰＭＳＭ）を使用することは、今日一般的である。ＰＭＳＭモータから正しいトルク出力を得るために、モータにおけるロータの位置を知ることは、必須である。この位置決定が非常に決定的であるので、位置決定手段（リゾルバ、接点、ケーブル、エレクトロニクス）を複製することによって重複性を導入することは、自然である。そしてそれは、システムをより高価にして、（空間が極めてまばらである）装置に詰め込むのにより困難にする。
【０００６】
ＰＭＳＭモータを有する他の欠点は、それがショートカット状態においてトルクを供給することである。そしてそれは、さもなければ、例えばリゾルバ信号のありうる紛失で復帰するために最も安全な状態として、しばしば定義される。
【０００７】
ＰＭＳＭモータおよびリゾルバを備えるトルク・ベクタリング・システムは、システムの単一の欠陥の後でさえ危険な駆動状況を生じさせることがありえるシステム解決策をしたがって提供する。
【先行技術文献】
【特許文献】
【０００８】
【特許文献１】国際公開第２０１０／１０１５０６号
【発明の概要】
【課題を解決するための手段】
【０００９】
本発明によるより良好な解決策は、トルク・ベクタリング・モータとして非永久磁石モータを使用することである。
【００１０】
この種のモータは原則として欠陥回転位置信号で求められるよりも小さいトルクを供給することができるだけであるので、リラクタンスモータ、例えばスイッチトリラクタンスモータ（ＳＲＭ）、を使用することは、特に適切である。１つ以上の相導体の崩壊、制御エレクトロニクスの全損失、またはショートカットにおいて、ＳＲＭモータは、完全にいかなるトルクも供給しない。そしてそれは、安全性のための大きな利点である。
【００１１】
同様の利点を有して使用されることができる他のリラクタンスモータは、同期リラクタンスモータ（ＳｙＲＭ）である。
【００１２】
さらに、誘導モータ、例えば、かご形誘導モータ（ＳＣＩＭ）または巻線形誘導モータ（ＷＲＩＭ）は、使用されてもよい。
【００１３】
好ましくは、モータにおけるロータの位置は、モータに対する電流の調査に基づいて特定のアルゴリズムによって推定される。この推定された値は、回転位置センサ（例えばリゾルバ）によって測定された値とリアルタイムに比較されてよい。これらの２つの値の間の大きな違いで、システムは、停止することができる。一種の重複性は、したがって、作成される。
【００１４】
モータ用の駆動エレクトロニクスに対する直流電流を調査することによって、モータからの最大トルクが単に調査されることができるという点で、さらなる安全性は、本発明によれば達成されてよい。ＳＲＭモータは、所与の直流電流で求められるよりも大きいトルクを供給することがすなわちできない。
【図面の簡単な説明】
【００１５】
本発明は、添付図面を参照して下記に詳述される。
【図１】図１は、本発明の着想が実行されてよい例示的な電気的駆動軸装置の断面図である。
【発明を実施するための形態】
【００１６】
本発明は、道路車両のための電気的駆動軸装置に関する。この種の駆動軸装置は、前車軸が内燃機関によって動力を供給されてよいハイブリッドカーのための後車軸として、概して使用されてよい。
【００１７】
図示された駆動軸装置は、本発明が利用されてよい環境の例とみなされるだけである。当業者は、このタイプの駆動軸装置についての特定の知識を有する。したがって、駆動軸装置の説明は、簡略である。より完全な説明のために、特許文献１は、参照されてよい。
【００１８】
電気的駆動軸装置は、電気駆動モータ１および電気トルク・ベクタリング・モータ２を備える。そしてそれは、図示のように駆動モータと同軸でもよい。電気的駆動軸装置が取り付けられる車両の２つの半車軸は、装置の両側に接続される。遊星歯車装置３および４は、電気駆動モータ１の軸５のそれぞれの端部に設けられて、駆動軸装置のための差動機構を形成する。そのため、両端の車輪は、異なる速度で回転してもよい。軸５は、遊星枠が車両の前記半車軸に接続される遊星歯車装置３および４のサンギヤに接続している。
【００１９】
トルク・ベクタリング・モータ２の目的は、２つの半車軸に、したがって車両の駆動輪に、トルク差を提供することである。駆動輪が同一速度で回転して車両が直線コース上を走行するときに、トルク・ベクタリング・モータ２は、静止する。車両が不均質な摩擦をともなう表面を通過するときに、トルク・ベクタリング・モータ２は、駆動輪の潜在的トラクションを強化するために使用されてよい。トルク・ベクタリング・モータ２の起動は、半車軸のうちの一方に対するトルクを増加させて、他方に対するトルクを減少させる結果になる。
【００２０】
トルク・ベクタリング・モータ２は、図において右に、遊星歯車装置４の外レースに直接接続している減速歯車装置６を介して、そして図において左に、遊星歯車装置３の外レースに対するバランスシャフト７を介して、ある。そのため、そのトルクは、反対方向において遊星歯車装置の外レースに伝達される。
【００２１】
トルク・ベクタリング・モータ２、減速歯車装置６、およびバランスシャフト７は、装置のトルク・ベクタリング・システムに含まれる。
【００２２】
記載された環境のトルク・ベクタリング・システムの最も重要な側面の１つは、安全性である。特に重要な要件は、その付随するシステムを有するトルク・ベクタリング・モータが、その制御システムおよび状況によって求められるよりもより高い付加的なトルクを供給することが可能でないということである。高い要求は、システムの設計および重複性に上乗せされる。そしてそれは、高いコストに至るかもしれない。
【００２３】
電気的なトルク・ベクタリング・システムにおけるトルクのソースとして永久磁石同期モータ（ＰＭＳＭ）を使用することは、現状技術である。ＰＭＳＭモータの制御における鍵となる要因は、正しい位相位置において十分な電流を供給することが可能であるために、そしてこのような仕方でモータからの正しいトルクを得るために、ロータの位置を正確に知ることである。高速度において、ＰＭＳＭモータは、ゼロ・トルクを供給するために電流を必要とする。ロータの位置を決定するために、通常、リゾルバ等が使用される。
【００２４】
トルク・ベクタリング・システムにおいて、誤った位置信号は、トルク・ベクタリング・モータに求められるよりもより高いトルクを直接供給させることがありえる。そしてそれは、電流の大きさが同じであるので、検出するのが困難である。
【００２５】
問題の自然の解決法は、位置評価を繰り返すことによって重複性を導入することである。しかしながら、全ての信号チェーン（リゾルバ、接点、ケーブル、信号を読み込んで処理するためのエレクトロニクス）が複製されなければならないので、これは、大きなコスト増加を与える。余分の構成要素の大きな量もボリュームをとる。そしてそれは、関連した環境における非常にまばらな必需品である。
【００２６】
例えば、リゾルバ信号が何かの理由で消える場合、実行中のショートカットが復帰するために最も安全な状態であることは、しばしば見なされる。しかしながら、トルク・ベクタリングのためのＰＭＳＭモータの使用をともなうさらなる安全の課題は、また、それがショートカットでもトルクを供給するということである。
【００２７】
さらに、トルク・ベクタリング・アプリケーションは、非常に高い速度比とともに働くことが可能である電動モータに要求を与える。これは、電動モータの基本的な速度と機械的な最大速度との間の比率として定義されることができる。この比率は、ここでは最適に１：２０を言う。そしてそれは、最大速度での扱いにくい高い電圧、そして作動中のフィールドの弱化の損失での危険なほど高い電圧の生成なしに最大比率は１：５を言うところで、永久磁石モータに問題を生じさせることがありえる。したがって、基本的な速度は、アプリケーションそれ自体のために必要であるよりも３〜４倍増加しなければならない。そしてそれは、電動モータの電流が対応して増加しなければならない結果になる。その影響は、複雑さおよびコストの増加である。
【００２８】
要約すると、従来のＰＭＳＭモータおよびリゾルバを有するトルク・ベクタリング・システムは、単一の誤りだけを有する場合でさえ車両のための潜在的に危険な状況を引き起こすかもしれない解決策を提供する。
【００２９】
回転位置信号への大きな依存にともなう課題は、記載された環境においてトルク・ベクタリング・モータとして非永久磁石モータを使用することによって減少されることができる。「スイッチトリラクタンス」タイプのモータは、それらが不完全な位置信号に応じて要求されるよりも小さいトルクを供給することができるだけであるので、使用に特によく適する。スイッチトリラクタンスモータ（ＳＲＭ）は、１つ以上の相導体の崩壊、制御エレクトロニクスの全ドロップアウト、またはショートカットで完全にいかなるトルクも供給しない。そしてそれは、安全の見方からたいへん望ましい。
【００３０】
トルク・ベクタリング・モータとしての非永久磁石モータに対する電流の変化は、そのロータの位置を表す。システムの安全性をさらに改善するために、これらの電流は、調査されてもよい。その結果、ロータの位置は、「センサレス」アルゴリズムと呼ばれることができるものによって推定されてもよい。この推定された値は、回転位置センサ（例えばリゾルバ）から測定された値と比較される。これらの２つの値の違いが特定の制限を超える場合、システムは、停止されることができる。ソフトウェアアルゴリズムを用いてリゾルバ等を補充することによって、一種の重複性は、このように得られる。
【００３１】
非永久磁石モータを用いることによって可能になるさらなる測定は、改良された安全性のための駆動エレクトロニクスに対する直流電流を調査することである。非永久磁石モータは特定の直流電流で要求されるよりも大きいトルクを供給することができないので、この測定信号は、トルク・ベクタリング・モータからの最大トルクを調査するために用いることができる。
【００３２】
対照的に、ＰＭＳＭモータからのトルクは、位相位置にも依存する。したがって、直流電流とモータトルクとの間に直接的な相関はない。
【００３３】
最後に、非永久磁石モータ（特にＳＲＭ）は、高い速度比にともなう課題を解決する。このモータは、フィールドが基本的な速度を超えて能動的に弱められる必要があるいかなる磁石も有しないので、モータは、１：２０のオーダーの速度比において用いられてよく、したがってアプリケーションのために最適化されてよい。システムがいかなる危険な電圧も発生させることができないので、結果は、よりコンパクトで、費用効果的で、そして安全なアプリケーションである。
【００３４】
開発の目下の段階において、ＳＲＭは、本出願にとって重要なコスト、トルク密度、インバータの複雑さ、制御性、速度範囲、出力密度その他に関して最も有利なように見える。しかしながら、他の非永久磁石モータは、可能である。
【図１】
0006324323.tif 000002